(57)【要約】【課題】  屋根に消雪パイプ（散水パイプ、放熱パイプ等）Ａを設置するに際して、屋根に固定した金具本体にワンタッチでパイプＡの装着を可能として作業能率の向上を図る。【解決手段】  金具本体１と前記金具本体に装着するクリップ体２で構成され、金具本体が屋根装着部（装着部１１、貫通ボルト１２、緊締ナット１３）及び設置対象の消雪パイプが上方から嵌入できる大きさの溝部ａを備え、クリップ体２が、所定の弾性を備えたＵ状板で形成され、下方部分を設置対象の消雪パイプを抱持する大きさの形状とした抱持部２１と、抱持部の上方部分をくびれ部２２を介して逆ハ状に開口した操作部２３とを備え、金具本体の溝部内とクリップ体の操作部に、クリップ体を溝部内に装着した際に、クリップ体の離脱防止となる係止部（凹部１６、切欠部２４）を設けてなる。【選択図】  図１
2006233494.tif 000002
【特許請求の範囲】
【請求項１】
金具本体と前記金具本体に装着するクリップ体で構成され、金具本体が屋根装着部及び設置対象の消雪パイプが上方から嵌入できる大きさの溝部を備え、クリップ体が、所定の弾性を備えたＵ状板で形成され、下方部分を設置対象の消雪パイプを抱持する大きさの形状とした抱持部と、抱持部の上方部分をくびれ部を介して逆ハ状に開口した操作部とを備え、金具本体の溝部内とクリップ体の操作部に、クリップ体を溝部内に装着した際に、クリップ体の離脱防止となる係止部を設けてなることを特徴とする屋根消雪パイプの取付用金具。
【請求項２】
金具本体が、下方開口コの字状で、側面部間に貫通ボルトを装着し、緊締ナットを螺合した瓦棒屋根用の装着部と、貫通ボルトに吊り下げられた上部開口コの字状の内板部を後方に延長して装着部より露出した箇所の両側を立ち上げ、装着部後端面と立上板部前端面の間を溝部とし、前記溝部を構成する立上板部の前端面の上部に凹部を設け、クリップ体における凹部対象箇所を切欠部または透孔を設けて係止部としてなる請求項１記載の屋根消雪パイプの取付用金具。
【発明の詳細な説明】
【技術分野】
【０００１】
本発明は、散水や放熱によって消雪するパイプ体を屋根に設置するための取付用金具に関するものである。
【背景技術】
【０００２】
屋根の積雪に対して雪下ろしを行う煩雑さを解消するために従前より種々の屋根積雪の消雪手段が提案されている。その一つとして屋根に散水パイプを設置し、散水によって消雪することや、放熱パイプを屋根に設置して熱融雪によって消雪する手段が知られている。
【０００３】
前記の散水パイプや放熱パイプを屋根に固定する手段として、屋根の巻ハゼ部分を挟持する挟持固定部にパイプ挿通部を形成した金具（特許文献１，２）を使用したり、挟持固定部にパイプ挿通部を螺子止めして付設した金具（特許文献３）を使用することが知られている。
【０００４】
又前記の専用金具を使用しない場合には、適宜な屋根用雪止め金具を使用し、パイプを針金などで金具に結束する手段が採用されている。
【０００５】
更に特許文献４には、屋根に支持棒を設置固定し、パイプを抱持する金具を前記支持棒に連結固定する手段が開示されている。
【０００６】
【特許文献１】意匠登録第１１６７３１１号公報。
【特許文献２】意匠登録第１１６７３１２号公報。
【特許文献３】特開２００４−１３２０６０号公報。
【特許文献４】特開２００２−３２２８２８号公報。
【発明の開示】
【発明が解決しようとする課題】
【０００７】
前記したパイプ体の屋根への設置手段は、金具を屋根の所定位置に固定した後、パイプの装着を行うが、長尺のパイプを横列又は縦列した各金具のパイプ挿通部に順次挿通する作業が煩雑であるし、勿論針金によるパイプの結束固定はより煩雑な作業となる。
【０００８】
また特許文献４に記載の支持棒の採用は、瓦屋根のような特別に金具の固定が困難な場合にのみ対象となるもので、特許文献１，２，３記載の金具が採用できる屋根においては、支持棒を別置することは、コストアップの原因となる。
【０００９】
そこで本発明は、屋根に固定した金具本体にワンタッチでパイプの装着を可能とした新規なパイプ取付金具を提案したものである。
【課題を解決するための手段】
【００１０】
本発明に係る屋根消雪パイプの取付用金具は、金具本体と前記金具本体に装着するクリップ体で構成され、金具本体が屋根装着部及び設置対象の消雪パイプが上方から嵌入できる大きさの溝部を備え、クリップ体が、所定の弾性を備えたＵ状板で形成され、下方部分を設置対象の消雪パイプを抱持する大きさの形状とした抱持部と、抱持部の上方部分をくびれ部を介して逆ハ状に開口した操作部とを備え、金具本体の溝部内とクリップ体の操作部に、クリップ体を溝部内に装着した際に、クリップ体の離脱防止となる係止部を設けてなることを特徴とするものである。
【００１１】
従って金具本体を屋根の所定位置に固定し、クリップ体の抱持部に消雪パイプ（散水パイプや放熱パイプ）を納め、操作部を挟圧した状態でクリップ体を溝部に嵌入し、所定の位置で操作部の挟圧を解除すると、クリップ体と金具本体が係止され、クリップ体で抱持された消雪パイプは、金具本体に装着されることになる。
【発明の効果】
【００１２】
本発明の構成は上記のとおりであるから、屋根の所定位置に金具本体を装着し、クリップ体に消雪パイプを抱持させて金具本体に装着すると、簡単に屋根上に消雪パイプを設置することができ、パイプ設置の作業能率を格段に向上させるものである。
【発明を実施するための最良の形態】
【００１３】
次に本発明の実施形態について説明する。実施形態に示した取付用金具は、瓦棒屋根に使用する金具で、金具本体１とクリップ体２とで構成される。
【００１４】
金具本体１は、従前の瓦棒屋根用金具と同様な構成で、下方開口コの字状の装着部１１と、装着部１１の側面部間に装着される貫通ボルト１２と、貫通ボルト１２に螺合する緊締ナット１３と、貫通ボル１２に吊り下げられた上部開口コの字状の内板部１４と、内板部１４を後方に延長して装着部１１より後方に露出した箇所の両側を立ち上げて形成した立上板部１５を備えているものである。
【００１５】
特に立上板部１５は、立上板部１５の前端面と、装着部１１の後端との間が、設置対象の消雪パイプＡが上方から嵌入できる大きさの溝部ａが形成されるように設けてなり、更に立上板部１５の前端面の上部に凹部（係止部）１６を設けてなる。
【００１６】
クリップ体２は、全体が所定の弾性を備えたＵ状板で、下方部分を設置対象の消雪パイプＡの半周面以上を抱持する大きさの形状とした抱持部２１と、抱持部２１の上方部分をくびれ部２２を介して逆ハ状に開口した操作部２３とを備え、且つ前記凹部１６と対応する位置に切欠部（係止部）２４を形成したものである。
【００１７】
而して金具本体１を瓦棒屋根Ｂの所定位置（横列状態）に装着固定し、クリップ体２の抱持部２１に消雪パイプＡを納め、操作部２３を挟圧して消雪パイプＡを抱持したクリップ体２を溝部ａ内に嵌入する。
【００１８】
消雪パイプＡが溝部内の最下位置に到達し、クリップ体２の操作部２３の挟圧を解除すると、クリップ体２の切欠部２４が凹部１６内に入り、切欠部２４の下縁と凹部１６の上縁が当接し、クリップ体２の上方移動を阻止するように係止されることになり、クリップ体２で抱持された消雪パイプＡは、金具本体１に装着され、屋根上に設置されるものである。
【００１９】
尚本発明は前記実施形態に限定されるものではなく、係止部においては、前記の切欠部２４と凹部１６の組み合わせの他に、切欠部に代えて透孔でも良いし、また逆に立上板部１５に前方突出部を設け、操作部２３に透孔を設ける逆の構造でも良いし、更に係止箇所を装着部１１の後端部に設けるようにしても良い。
【００２０】
また屋根装着部も、前記の瓦棒屋根用に限定されるものではなく、金具本体に所定の溝部を備えるものであれば、屋根装着部は、装着対象の屋根構造に対応して任意に定めることができるものである。
【図面の簡単な説明】
【００２１】
【図１】本発明の実施形態の全体斜視図。
【図２】同金具本体の取付状態の説明図（背面図）。
【図３】同使用状態を示す側面図。
【符号の説明】
【００２２】
１          金具本体
１１        装着部
１２        貫通ボルト
１３        緊締ナット
１４        内板部
１５        立上板部
１６        凹部（係止部）
２          クリップ体
２１        抱持部
２２        くびれ部
２３        操作部
２４        切欠部（係止部）
【図１】
2006233494.tif 000003
【図２】
2006233494.tif 000004
【図３】
2006233494.tif 000005